(57)【要約】【課題】運搬や保管において取り扱いがしやすいようにコンパクトなサイズにすることができ、かつ施工後には適切な形状を保持できる軒樋支持具を提供する。【解決手段】軒樋支持具１は、取付足部１０の後端部と固定部３０の下端部とのそれぞれに連結部（ヒンジ部１３、３２）を有し、側面視で相互のなす角度が、設置状態で略直角となる位置と、相互に重なる位置との間で回動ができるように連結部どうしが連結されており、取付足部１０と固定部３０とのなす角度が設置状態での角度よりも大きくなるように回動することを規制する回動規制部をさらに備えている。【選択図】図１
2018021295.tif 000002
【特許請求の範囲】
【請求項１】
軒先の前方に突出するように配される取付足部と、該取付足部の前端部の下側に配された、軒樋を支持する樋支持部と、前記取付足部の後端部より上方に延びた、軒先に固定される固定部とを備えた軒樋支持具において、
前記取付足部の後端部と前記固定部の下端部とのそれぞれに連結部を有し、側面視で相互のなす角度が、設置状態で略直角となる位置と、相互に重なる位置との間で回動ができるように前記連結部どうしが連結されており、
前記取付足部と前記固定部とのなす角度が前記設置状態での角度よりも大きくなるように回動することを規制する回動規制部をさらに備えたことを特徴とする軒樋支持具。
【請求項２】
請求項１において、
前記回動規制部は、前記設置状態において、前記取付足部の前記連結部より上方に延びた延出片と、前記固定部の後面とが相互に当接することで回動を規制する構造となっていることを特徴とする軒樋支持具。
【請求項３】
請求項２において、
前記固定部は、後面側に前記延出片が収容される凹段部を有しており、
前記凹段部の深さと、前記延出片との厚さとが略同一であることを特徴とする軒樋支持具。
【発明の詳細な説明】
【技術分野】
【０００１】
本発明は、軒先の前方に突出するように配される取付足部と、軒樋を支持する樋支持部と、取付足部の後端部より折曲、延出された固定部とを備えた軒樋支持具に関する。
【背景技術】
【０００２】
従来のこの種の軒樋支持具は、たとえば特許文献１に記載されたもののように、樋支持部が取付足部の前端部の下側に取り付けられ、取付足部に対して進退自在とされることで、軒樋の出具合が調節できるようになっている。一方、固定部は、通例では取付足部と一体となっており、それらのなす角度は壁面を想定して略９０度となっている。
【先行技術文献】
【特許文献】
【０００３】
【特許文献１】特開２０１３−９１９５０号公報
【発明の概要】
【発明が解決しようとする課題】
【０００４】
ところで、特許文献１の軒樋支持具は、固定部が取付足部の後端部より下方に延びたものであるが、取り付け場所によっては、固定部が上方に延びたものが利用されることがある。つまり、このような軒樋支持具は、樋支持部が取付足部の下側に配され、固定部が取付足部の上側に起立するように配されたＺ字形状となっている。
【０００５】
このような形状であるため、使用前の運搬や保管などの取り扱いにおいて、複数のものを箱詰する際には十分に大きな空間が必要とされていた。このような軒樋支持具を直方体の梱包箱に詰めれば、その中には無駄な空間が多く、多くのクッション材を詰める必要もあった。
【０００６】
本発明は、そのような事情を考慮して提案されたもので、その目的は、運搬や保管において取り扱いがしやすいようにコンパクトなサイズにすることができ、かつ施工後には適正な形状を保持できる軒樋支持具を提供することにある。
【課題を解決するための手段】
【０００７】
上記目的を達成するために、請求項１に記載の軒樋支持具は、軒先の前方に突出するように配される取付足部と、取付足部の前端部の下側に配された、軒樋を支持する樋支持部と、取付足部の後端部より上方に延びた、軒先に固定される固定部とを備えた軒樋支持具において、取付足部の後端部と固定部の下端部とのそれぞれに連結部を有し、側面視で相互のなす角度が、設置状態で略直角となる位置と、相互に重なる位置との間で回動ができるように連結部どうしが連結されており、取付足部と固定部とのなす角度が設置状態での角度よりも大きくなるように回動することを規制する回動規制部をさらに備えたことを特徴とする。
【０００８】
請求項２に記載の軒樋支持具では、回動規制部は、設置状態において、取付足部の連結部より上方に延びた延出片と、固定部の後面とが相互に当接することで回動を規制する構造となっている。
【０００９】
請求項３に記載の軒樋支持具では、固定部は、後面側に延出片が収容される凹段部を有しており、凹段部の深さと、延出片との厚さとが略同一である。
【発明の効果】
【００１０】
請求項１に記載の軒樋支持具によれば、上述した構成となっているため、運搬や保管において取り扱いがしやすいようにコンパクトなサイズにすることができ、かつ施工後には適正な形状を保持することができる。
【００１１】
請求項２に記載の軒樋支持具によれば、上述した構成となっているため、軒樋支持具の施工後に、取付足部が回動または揺動するおそれはほとんどない。
【００１２】
請求項３に記載の軒樋支持具によれば、上述した構成となっているため、軒樋支持具の施工後に、取付足部が回動または揺動するおそれがないばかりか、がたつくおそれもほとんどない。
【図面の簡単な説明】
【００１３】
【図１】本発明の一実施形態に係る軒樋支持具の側面図である。
【図２】（ａ）は軒樋支持具の要部分解斜視図、（ｂ）は同要部分解側面図である
【図３】軒樋支持具を折りたたんだ状態を示す側面図である。
【図４】本発明の他の実施形態に係る軒樋支持具の要部縦断面図である。
【図５】本発明のさらに他の実施形態に係る軒樋支持具の説明図である。（ａ）は要部分解側面図、（ｂ）は軒樋支持具を折りたたんだ状態を示す要部側面図である。
【発明を実施するための形態】
【００１４】
以下に、本発明の実施の形態について、添付図面をもとに説明する。まず、軒樋支持具１の基本構成について説明する。
【００１５】
本軒樋支持具１は、軒先の前方に突出するように配される取付足部１０と、取付足部１０の前端部の下側に配された、軒樋３を支持する樋支持部２０と、取付足部１０の後端部より上方に延びた、軒先に固定される固定部３０とを備えた支持具である。取付足部１０の後端部と固定部３０の下端部とのそれぞれに連結部（ヒンジ部１３、３２）を有し、側面視で相互のなす角度が、設置状態で略直角となる位置と、相互に重なる位置との間で回動ができるように連結部どうしが連結されており、取付足部１０と固定部３０とのなす角度が設置状態での角度よりも大きくなるように回動することを規制する回動規制部をさらに備えている。
【００１６】
このような軒樋支持具１によれば、施工前においては、上方に突出した固定部３０を取付足部１０に重ねるように折りたたんでおくことができる。したがって、運搬や保管において、軒樋支持具１の全体サイズを小さくすることができ、取り扱いがしやすくなる。たとえば、梱包箱に格納したときには梱包箱内の無駄なスペースを少なくできる。換言すれば、折りたたんだ状態の軒樋支持具１の寸法におおむね合致した梱包箱を用いることができる。また、回動規制部により余分な回動が規制される構成であるため、施工後には誤った回動をするおそれはなく、適正な形状を保持することができる。
【００１７】
ついで、図１に示した軒樋支持具１について、図２および図３も参照しながら詳細に説明する。
【００１８】
この軒樋支持具１は、上述したように、取付足部１０と、樋支持部２０と、固定部３０とを備えている。
【００１９】
樋支持部２０は、軒樋３を直接吊り支持する部材であり、前端に軒樋前耳保持部２１を、後端に軒樋後耳保持部２２を有した構成とされ、それらの間の板状部２３には、樋支持部２０を取付足部１０に対して前後方向にスライド調節できるようにするために、長手方向に開設された長孔（不図示）を有している。図１に示すように、軒樋前耳保持部２１に軒樋の前耳３ａが保持され、軒樋後耳保持部２２に軒樋３の後耳３ｂが保持されるようにして、軒樋３が吊り支持されるようになっている。
【００２０】
取付足部１０は、図１および図２に示すように、板状の本体部１１と、本体部１１から前方に段落ち形成された、ボルト７、蝶ナット８で樋支持部２０と連結される支持連結部１２と、本体部１１の後端に配されたヒンジ部１３（連結部）と、本体部１１の後端の幅方向の中央より起立するように延びた延出片１４とを備えている。
【００２１】
固定部３０は、図１および図２に示すように、取付足部１０と同様、板状体とされる本体部３１と、その本体部３１に被せて外壁５に固定具で固定するための取付基板３３とを備えている。
【００２２】
本体部３１の上部は外壁５に面接触する添設部３１ａとされ、下部は段差状に前方に突出した結合部３１ｂとされる。結合部３１ｂの後方には、深さが上述した取付足部１０の延出片１４の厚さと略同一な凹段部３１ｃが形成されており、結合部３１ｂの下端には、取付足部１０のヒンジ部１３と結合するヒンジ部３２が形成されている。
【００２３】
取付基板３３は、後方に凹所を有した重合部３３ａと、両側の翼状の取付片３３ｂとを備えている。重合部３３ａは、後方の凹所に挿入された本体部３１の添設部３１ａとリベット４１で連結されている。両取付片３３ｂには外壁５に固定具で固定するための挿通孔３３ｂａが開設されている。
【００２４】
取付足部１０のヒンジ部１３と、固定部３０のヒンジ部３２とは相互に組み付け連結され、軸体４３を通すことでヒンジ結合されている。ヒンジ結合された状態では、取付足部１０と固定部３０とは、そのなす角度が外壁５への設置状態のときの略９０度から、相互に重なり合う状態となるまでの間で回動自在とされ、取付足部１０と固定部３０とのなす角度が略９０度のときは、取付足部１０の延出片１４は起立した状態の固定部３０の凹段部３１ｃに収容されるようになっている（図２（ａ）（ｂ）参照）。
【００２５】
このような軒樋支持具１は、図１に示すように外壁５に取り付けられる。延出片１４がしっかりと凹段部３１ｃ内に収容されているので、延出片１４が固定部３０（結合部３１ｂ）の後面に当接して回動規制部として作用し、軒樋３や樋支持部２０の重力が作用しても、取付足部１０（および樋支持部２０）が外壁５に近づくように反時計回りに回動することを阻止することができる。
【００２６】
また、軒樋支持具１は外壁５に取り付けられていなければ、取付足部１０および樋支持部２０の時計回りの回動が可能であるが、本実施形態の軒樋支持具１は凹段部３１ｃの深さが延出片１４の厚さと略同一となっているため、取付状態においては、延出片１４の外壁５側へ回動することを阻止することもできる。そのため、風にあおられたときなどにおいても、取付足部１０および樋支持部２０が時計回りに回動することを防止することができる。
【００２７】
もちろん、軒樋支持具１の施工前では、図３に示すように、固定部３０を折りたたんで、運搬や保管において取り扱いがしやすいようにコンパクトなサイズにすることができる。よって、折りたたんだ状態の軒樋支持具１を、その寸法に合致した梱包箱へ無駄スペースのない状態に収容することができる。つまり、折りたたんだ状態の軒樋支持具１の寸法におおむね合致した、従来のものよりも小さめの梱包箱を用いることができる。
【００２８】
なお、固定部３０の凹段部３１ｃの深さ寸法が取付足部１０の延出片１４の厚さ寸法よりも大きめの場合には、風が吹いた場合などには取付足部１０のぐらつき（揺動）が起こるおそれがある。このようなぐらつきを防止するために、図４に示すように、延出片１４には凸部１４ａを設け、固定部３０の結合部３１ｂには、凸部１４ａが圧入される凹部３１ｂａを設けてもよい。
【００２９】
以上に説明した実施形態のものは、回動規制部用の延出片１４を取付足部１０に設けた例であるが、図５に示すように、固定部３０側に延出片３４を設けた構成であってもよい。
【００３０】
図５に示した軒樋支持具１は、固定部３０の結合部３１ｂの下端に前方に延びる板状の延出片３４が形成されている。この延出片３４は、取付足部１０、固定部３０とのヒンジ結合により、取付足部１０の下側に配される。つまり、延出片３４と取付足部１０の本体部１１の下面とが当接することで取付足部１０の反時計回りの回動を規制する回動規制部として作用する。
【００３１】
取付足部１０、固定部３０間の相互の回動が許容される角度は略９０度であり、施工前の状態において固定部３０を前方に回動して折りたためば、図５（ｂ）に示すように、取り扱いしやすいコンパクトなサイズになる。
【符号の説明】
【００３２】
１          軒樋支持具
３          軒樋
３ａ        前耳
３ｂ        後耳
５          外壁
１０        取付足部
１１        本体部
１２        支持連結部
１３        ヒンジ部（連結部）
１４        延出片
１４ａ      凸部
２０        樋支持部
２１        軒樋前耳保持部
２２        軒樋後耳保持部
２３        板状部
３０        固定部
３１        本体部
３１ａ      添設部
３１ｂ      結合部
３１ｂａ    凹部
３１ｃ      凹段部
３２        ヒンジ部（連結部）
３３        取付基板
３３ａ      重合部
３３ｂ      取付片
３４        延出片
４１        リベット
４３        軸体
【図１】
2018021295.tif 000003
【図２】
2018021295.tif 000004
【図３】
2018021295.tif 000005
【図４】
2018021295.tif 000006
【図５】
2018021295.tif 000007